(57)【要約】【課題】生ゴミを乾燥して処理することにおいて、その処理中および処理された生ゴミの臭いが問題であった。【解決手段】窒素酸素分離部３によって生成された窒素富化空気を乾燥室１に、酸素富化空気を脱臭部２に送り込むことにより、生ゴミを乾燥させるのに加えられる熱と空気中の酸素の反応が少なくなり、有機物の酸化やその酸化物の重合物による臭気物質の発生が抑えられ、処理中に発生する臭気や処理後の乾燥生ゴミに残る臭気が低減できる。また、脱臭部２の酸素量が多くなり、より効率の良い触媒酸化が実現できるので、乾燥中の臭いがより低減でき、また触媒の加熱温度を下げられ触媒の体積を小さく抑えることができるなどコストを下げることができる。【選択図】図１
2006142172.tif 000002
【特許請求の範囲】
【請求項１】
生ゴミを乾燥する乾燥室と、空気中の酸素と窒素を分離する酸素窒素分離手段と、前記乾燥室から発生するガスと前記酸素窒素分離手段によって分離された酸素富化空気を混合して触媒酸化する脱臭部とを備え、生ゴミの乾燥中に前記酸素窒素分離手段によって分離された窒素富化空気を前記乾燥室に送り込む構成とした生ゴミ処理装置。
【発明の詳細な説明】
【技術分野】
【０００１】
本発明は一般家庭や飲食店などから排出される生ゴミを乾燥して処理する生ゴミ処理装置に関するものである。
【背景技術】
【０００２】
従来の生ゴミ処理装置には、生ゴミを粉砕して水とともにそのまま下水へ流すディスポーザや、生ゴミを焼却あるいは乾燥して減量化するもの、大鋸屑などと混合して微生物分解して減量化するもの等がある。
【０００３】
このなかでディスポーザは、環境の水質を悪化させる問題があり、その他の生ゴミ処理装置は処理中および処理後の臭いが問題であった。
【０００４】
とくに生ゴミを乾燥させる生ゴミ処理装置として、乾燥中に新鮮な空気を乾燥室へ送り込むことで、乾燥した処理後の生ゴミの臭いを低減させるもの（例えば、特許文献１参照）、乾燥中の臭気ガスを触媒酸化により脱臭させるもの（例えば、特許文献２参照）などがあった。
【特許文献１】特許第３３３６７３７号公報
【特許文献２】特許第３２４１０３７号公報
【発明の開示】
【発明が解決しようとする課題】
【０００５】
しかしながら、特許文献１のように乾燥室に新鮮な空気を送り込んで常に臭いを換気しても、乾燥に必要な熱によって、空気中の酸素と生ゴミの有機物が反応し、酸化物やその重合物が常に生成され、臭いの源になる物質は減ることは無く、脱臭効果としては小さいものであった。
【０００６】
また、特許文献２のように触媒による酸化を行う場合、乾燥中の臭気ガスには多量の水分が含まれており、このようなガスを酸化するためには触媒を高温に保つ必要があるか、体積の大きい触媒が必要であって、コスト要求の高い方式であった。
【０００７】
このように、従前の方法では、生ゴミを処理することにおいて、その処理中および処理後の臭いの問題を解決するには必ずしも満足のいく方式とは言えなかった。
【０００８】
本発明は、上記従来の課題を解決するものであり、簡便で確実に生ゴミの処理中および処理後の臭いを低減できる生ゴミ処理装置を提供することを目的とする。
【課題を解決するための手段】
【０００９】
前記従来の課題を解決するために、本発明の生ゴミ処理装置は、生ゴミを乾燥する乾燥室と、空気中の酸素と窒素を分離する酸素窒素分離手段と、前記乾燥室から発生するガスと前記酸素窒素分離手段によって分離された酸素富化空気を混合して触媒酸化する脱臭部とを備え、生ゴミの乾燥中に前記酸素窒素分離手段によって分離された窒素富化空気を前記乾燥室に送り込む構成としたものである。
【００１０】
これによって、生ゴミを乾燥させるのに加えられる熱と空気中の酸素の反応が少なくなり、有機物の酸化やその酸化物の重合物による臭気物質の発生が抑えられるので、処理中に発生する臭気や処理後の乾燥生ゴミに残る臭気が低減されるのである。また、脱臭部の酸素量が多くなり、より効率の良い触媒酸化が実現できるので、乾燥中の臭いがより低減でき、また触媒の加熱温度を下げられ触媒の体積を小さく抑えることができるなどコストを下げることができる。
【発明の効果】
【００１１】
本発明の生ゴミ処理装置は、処理中の臭いや処理後の臭いが低減され、例えば処理中はもちろんのこと、処理が終わって装置の蓋を開けた時なども臭いが気にならないので、その装置を屋内に設置することが可能になり、より使い勝手の良い生ゴミ処理装置を実現できるものである。また、処理中の臭いが低減されているということは、脱臭に負担がかからないので、より低温で作動することが可能となり、つまりエネルギー要求が少なく、また小さい触媒で済むなど、コストのかからない脱臭が期待できるものである。
【発明を実施するための最良の形態】
【００１２】
第１の発明は、生ゴミを乾燥する乾燥室と、空気中の酸素と窒素を分離する酸素窒素分離手段と、前記乾燥室から発生するガスと前記酸素窒素分離手段によって分離された酸素富化空気を混合して触媒酸化する脱臭部とを備え、生ゴミの乾燥中に前記酸素窒素分離手段によって分離された窒素富化空気を前記乾燥室に送り込む構成としたものである。
【００１３】
これによって、生ゴミを乾燥させるのに加えられる熱と空気中の酸素の反応が少なくなり、有機物の酸化やその酸化物の重合物による臭気物質の発生が抑えられるので、処理中に発生する臭気や処理後の乾燥生ゴミに残る臭気が低減されるものである。また、脱臭部の酸素量が多くなり、より効率の良い触媒酸化が実現できるので、乾燥中の臭いがより低減でき、また触媒の加熱温度を下げられ触媒の体積を小さく抑えることができるなどコストを下げることができる。
【００１４】
以下、本発明の実施の形態について図面を参照しながら説明する。なお、本実施の形態によって本発明が限定されるものではない。
【００１５】
（実施の形態１）
図１は、本発明の第１の実施の形態における生ゴミ処理装置の構成模式図を示したものである。
【００１６】
図１において、乾燥室１は内部に投入された生ゴミを加熱、撹拌などで乾燥し減容化するものである。図示していないがヒータや回転する撹拌刃、駆動用モータなどが内部もしくは外部に設けられている。乾燥中に発生する臭気を含んだガスは脱臭部２で脱臭される。脱臭部２は内部に図示していないが、白金触媒が担持された触媒ハニカム、それを加熱するヒータなどで構成されており、通過するガスの臭気成分を酸化し、無臭化する。
【００１７】
また、窒素酸素分離部３は空気中の窒素と酸素を分離し、窒素富化空気と酸素富化空気に分け、それぞれ乾燥室１および脱臭部２へ送り込まれる構成である。この空気を送り込む為の搬送手段として空気ポンプ４が窒素酸素分離部３の上流側に設けられている。
【００１８】
以上のように構成された生ゴミ処理装置について、以下その動作、作用を説明する。
【００１９】
使用者は生ゴミを乾燥室１に投入し、図示していないスイッチが押されると、図示していない制御部の働きによって乾燥室１内の生ゴミは加熱、撹拌などされ徐々にその水分を奪われ、減容化が始まる。このとき、空気４ポンプも作動し、空気を窒素酸素分離部３に送る。窒素酸素分離部３は、内部に酸素富化膜があり、この膜は窒素よりも酸素を通し易いので、膜を通ったあとの空気の酸素分圧は高く、膜を通らなかった空気の窒素分圧が高いものである。これら酸素富化空気は脱臭部２に送られ、窒素富化空気は乾燥室１に送られるのである。
【００２０】
乾燥室１に送られた窒素富化空気は、生ゴミが熱によって酸化するのを防ぐものである。生ゴミ、つまり炭水化物やたんぱく質、脂肪などの有機物は酸化されるとアルデヒドなどの臭いの強いガスを発生することが多く、さらに酸化された有機物が重合するなどして臭いは高まるものである。もし空気中で生ゴミを加熱すると焦げ臭などが多量に発生するが、ここに窒素富化空気を送り込んでいるので、そのような臭い物質の生成は抑制される。
【００２１】
したがって、脱臭部２への負担は軽くなるのである。さらに、乾燥が終了し、処理後の乾燥した生ゴミを取り出すときなど、その乾燥生ゴミ自体の臭いも少ないので、例えば乾燥室１の蓋（図示せず）を開けた時など、臭いが気になることは無い。
【００２２】
窒素酸素分離部３で作り出された酸素富化空気は脱臭部２に送られる。脱臭部２では触媒による酸化分解反応をしているので、ここに酸素富化空気を送り込めば、その酸化分解反応を効率よく行わせることが可能となり、ひいては脱臭部２の負担を軽くすることができ、排出された脱臭後のガスの臭いを無臭化することに役立つことができる。
【産業上の利用可能性】
【００２３】
以上のように、本発明にかかる生ゴミ処理装置は、臭いを少なく処理できるので、臭いの強い有機物を乾燥させるときなどの用途に展開が可能である。
【図面の簡単な説明】
【００２４】
【図１】本発明の実施の形態１における生ゴミ処理装置の構成模式図
【符号の説明】
【００２５】
１  乾燥室
２  脱臭部
３  窒素酸素分離部
４  空気ポンプ
【図１】
2006142172.tif 000003